(57)【特許請求の範囲】
【請求項１】
吊り戸棚であって、棚本体の前面開放部を、この棚本体に上下方向にスライド移動可能に組み合わされた戸体を上昇終了位置に位置づけることで、閉塞するようにしてなると共に、
前記戸体は、上昇終了位置において棚本体の前面開放部の上側を閉塞する上側戸体と、上昇終了位置において棚本体の前面開放部の下側を閉塞する下側戸体とよりなり、
しかも、上昇終了位置にある上側戸体の下端部の内方に上昇終了位置にある下側戸体の上端部が位置されるようになっていることを特徴とする吊り戸棚。
【請求項２】
戸体の全部又は一部が透明又は半透明とされて戸体を介して棚本体内に収納されている物品の収納状態が視認可能となっていることを特徴とする請求項１に記載の吊り戸棚。
【発明の詳細な説明】
【技術分野】
【０００１】
この発明は、キッチンや居室などの天井側に取り付けられて収納に用いられる吊り戸棚の改良に関する。
【背景技術】
【０００２】
キッチンなどの天井側の壁面に取り付けられて収納に用いられる吊り戸棚は、一般に開き戸あるいは引き戸により開放可能に閉塞されている。
【０００３】
しかるに、開き戸を備えた吊り戸棚にあっては、解放時には開き戸が前方に突き出すため、吊り戸棚の前方に位置しての吊り戸棚からの収納物の取り出し作業ないしは吊り戸棚への収納作業において、この開き戸が邪魔となる場合がある。特に、踏み台などに乗って前記のような作業をする場合、体をのけぞらしながら開き戸を操作しなければならない場合も少なくない。
【０００４】
また、引き戸を備えた吊り戸棚にあっては、吊り戸棚の横幅一杯に吊り戸棚を開放させることができないため、大型の収納物の出し入れに不便な場合がある。
【０００５】
さらに、開き戸を備えた吊り戸棚にあっては、地震時などによって積み重ね状に納めた収納物が崩れるなどして閉じ位置にある開き戸の内面によってかかる収納物が支えられるような状態となったときには、開き戸を操作したと同時にこうした収納物の落下が生じるため、耐震ラッチなどが設けられている場合でも、地震後の開放には格別の注意を払わせる。
【０００６】
また、引き戸を備えた吊り戸棚にあっては、地震時などによって積み重ね状に納めた収納物が崩れるなどして閉じ位置にある引き戸の内面によってかかる収納物が支えられるような状態となったときには、これが引き戸の内端に引っかかって開放操作を不能あるいは困難とする場合がある。
【発明の開示】
【発明が解決しようとする課題】
【０００７】
この発明が解決しようとする主たる問題点は、吊り戸棚からの収納物の取り出し作業ないしは吊り戸棚への収納作業をより行いやすくすると共に、収納物に崩れなどが生じてこれが戸体に支えられるようになっていてもこれを落下させることなく戸体の開放ができるようにする点にある。
【課題を解決するための手段】
【０００８】
前記課題を達成するために、この発明にあっては、吊り戸棚を、棚本体の前面開放部を、この棚本体に上下方向にスライド移動可能に組み合わされた戸体を上昇終了位置に位置づけることで、閉塞するようにしてなるものとした。
【０００９】
かかる吊り戸棚にあっては、上昇終了位置にある戸体を下方にスライド移動させることで棚本体の前面開放部を開放させる機能を有する。かかる吊り戸棚の戸体は、吊り戸棚の前面開放部を両開きの開き戸や片開きの開き戸により閉塞させる在来の吊り戸棚にように、開放時に前方に突き出すことはなく吊り戸棚の前面開放部の前方に位置しての吊り戸棚からの収納物の取り出し作業ないしは吊り戸棚への収納作業において戸体が邪魔となることがない。また、かかる吊り戸棚の戸体は、吊り戸棚の前面開放部を引き戸により閉塞させる在来の吊り戸棚に比べ開放時には前面開放部をその横幅一杯に開放させる。さらに、地震時などによって積み重ね状に納めた収納物が崩れるなどして上昇終了位置にある戸体の内面によってかかる収納物が支えられるような状態となったときには、戸体を徐々に下方にスライド移動させるように操作してこのような収納物を戸体により崩れ落ちないように支えながら戸体上で部分的に開かれた前面開放部から取り出したり、積みなおしたりすることができる。
【００１０】
前記戸体を、上昇終了位置において棚本体の前面開放部の上側を閉塞する上側戸体と、上昇終了位置において棚本体の前面開放部の下側を閉塞する下側戸体とより構成させておけば、棚本体の上側と下側をそれぞれ個別に開放させることができる。この場合さらに、上昇終了位置にある上側戸体の下端部の内方に上昇終了位置にある下側戸体の上端部が位置されるようにしておけば、それぞれ上昇終了位置にある上側戸体と下側戸体とによって前面開放部を隙間なく閉塞させることができると共に、前記収納物の崩れなどが生じた場合に、上側戸体の下辺部に収納物が入り込んで上側戸体の下降操作を妨げるような事態を生じさせないようにすることができる。
【００１１】
かかる戸体の全部又は一部を透明又は半透明にして戸体を介して棚本体内に収納されている物品の収納状態を視認可能にしておけば、前記収納物の崩れなどの有無を戸体を下降操作する前に操作者に認識させることができると共に、崩れなどが生じている場合には収納物の落下を生じさせないで戸体を下げることが可能なレベルを操作者に認識させることができる。
【発明の効果】
【００１２】
この発明にかかる吊り戸棚によれば、吊り戸棚の前方に位置しての戸体の開放操作において戸体は操作者の邪魔にならず、また、棚本体の横幅一杯の開放が可能であり、吊り戸棚からの収納物の取り出し作業ないしは吊り戸棚への収納作業は行いやすく、また、収納物に崩れなどが生じてこれが戸体に支えられるようになっていてもこれを落下させることなく戸体を開放することができる。
【発明を実施するための最良の形態】
【００１３】
以下、図１〜図６に基づいて、この発明を実施するための最良の形態について説明する。
【００１４】
なお、ここで図１は吊り戸棚Ｓ（参考例）の利用状態を表しており、また、図２および図３はその吊り戸棚Ｓを正面から見た状態として、図４および図５はその前側を断面にした状態として示している。また、図６は図１〜図５に示される参考例の構成の一部を変更させてなる吊り戸棚Ｓを示している。図３および図５において戸体２は下降終了位置にあり、図２、図４および図６において戸体２は上昇終了位置にある。
【００１５】
この実施の形態にかかる吊り戸棚Ｓは、キッチンや居室などの天井側に取り付けられて収納に用いられるものである。すなわち、本明細書において吊り戸棚Ｓとは、ウォールキャビネットないしウォールユニットを含む概念である。
【００１６】
かかる吊り戸棚Ｓは、棚本体１の前面開放部１０を、この棚本体１に上下方向にスライド移動可能に組み合わされた戸体２を上昇終了位置に位置づけることで、閉塞するようにしている。
【００１７】
図示の例では、棚本体１は、天板１１と底板１２と背板１３と左右側板１４、１４より構成され、背板１３の外面を壁面への添装面としている。
【００１８】
前面開放部１０の左右両側にはそれぞれ、上下方向に沿ったレール部１５がレール口１５ａを前面開放部１０の内方に向けるようにして設けられている。戸体２は、正面視略方形をなす板状体であって、その上下方向に沿った右辺部２１を右側のレール部１５に入れ込み、かつ、その上下方向に沿った左辺部２０を左側のレール部１５に入れ込ませて、棚本体１に上下方向にスライド移動可能に組み合わされている。
【００１９】
戸体２の左右辺部２０、２１間の寸法は、左右のレール部１５のレール口１５ａ間の寸法よりは大きいが、左右のレール部１５の内奥部１５ｂ間の寸法よりは小さくなるように構成されている。そして、戸体２の左右方向に沿った上辺部２２と右辺部２１との隅部と、この上辺部２２と左辺部２０との隅部とにはそれぞれ、レール部１５の内奥部１５ｂに向けて突き出す抜け止め部２４が設けられている。一方、レール部１５の下端には規制部１６が設けられており、戸体２は抜け止め部２４をこの規制部１６に上方から引っかける位置まで下降可能とされこの位置において前面開放部１０がもっとも大きく開放されるようになっている。（下降終了位置／図３、図５）
【００２０】
また、戸体２の下辺部２３には、この下辺部２３に亘ってこの下辺部２３から前方に突き出すカバー部２５が形成されている。かかるカバー部２５の左端部２５ａは戸体２の下辺部２３と左辺部２０との隅部から側方に突き出しており、また、かかるカバー部２５の右端部２５ａは戸体２の下辺部２３と右辺部２１との隅部から側方に突き出している。戸体２によって前面開放部１０を完全に閉塞した状態において、カバー部２５は吊り戸棚Ｓの底板１２の前端１２ａの前方に作られる戸体２を納めるための隙間１７を下方より塞ぐ。（上昇終了位置／図２、図４）また、この状態において左側の前記規制部１６にカバー部２５の左端部２５ａが掛合し、また、右側の前記規制部１６にカバー部２５の右端部２５ａが掛合されるようになっている。これにより戸体２によって前面開放部１０を完全に閉塞した状態を維持できるようになっている。図示の例では、規制部１６の下部とカバー部２５の端部２５ａの上部とが、これらにそれぞれ設けた吸着部材３（互いに吸着しあう磁石または磁石と磁性体）により、磁力により吸着されるようにして両者の掛合を実現させている。図示の例では、前面開放部１０を完全に閉塞した戸体２のカバー部２５に指をかけて、かかる掛合を解く大きさの力で戸体２を下方に引くことで、前面開放部１０を開放させるようになっている。このカバー部２５の前端面に指かけ部などを形成させておけば、戸体２を操作させやすくできる。戸体２の下降には、公知の各種の手段（例えば、戸体２及び棚本体１のいずれか一方に設けたラックにかみ合うピニオンをこれらの他方に設けると共に、このピニオンをロータリーダンパーのローターに接続させるなど）により制動を付与して、この戸体２の下降はゆっくりなされるようにすることが好ましい。なお、図示の例では、棚本体１は仕切り棚体４において上下に二分されている。
【００２１】
かかる吊り戸棚Ｓにあっては、上昇終了位置にある戸体２を下方にスライド移動させることで棚本体１の前面開放部１０を開放させる機能を有する。かかる吊り戸棚Ｓの戸体２は、吊り戸棚Ｓの前面開放部１０を両開きの開き戸や片開きの開き戸により閉塞させる在来の吊り戸棚Ｓにように、開放時に前方に突き出すことはなく吊り戸棚Ｓの前面開放部１０の前方に位置しての吊り戸棚Ｓからの収納物の取り出し作業ないしは吊り戸棚Ｓへの収納作業において戸体２が邪魔となることがない。また、かかる吊り戸棚Ｓの戸体２は、吊り戸棚Ｓの前面開放部１０を引き戸により閉塞させる在来の吊り戸棚Ｓに比べ開放時には前面開放部１０をその横幅一杯に開放させる。さらに、地震時などによって積み重ね状に納めた収納物が崩れるなどして上昇終了位置にある戸体２の内面２６によってかかる収納物が支えられるような状態となったときには、戸体２を徐々に下方にスライド移動させるように操作してこのような収納物を戸体２により崩れ落ちないように支えながら戸体２上で部分的に開かれた前面開放部１０から取り出したり、積みなおしたりすることができる。
【００２２】
かかる戸体２の全部又は一部を透明又は半透明にして戸体２を介して棚本体１内に収納されている物品の収納状態を視認可能にしておけば、前記収納物の崩れなどの有無を戸体２を下降操作する前に操作者に認識させることができると共に、崩れなどが生じている場合には収納物の落下を生じさせないで戸体２を下げることが可能なレベルを操作者に認識させることができる。
【００２３】
かかる戸体２の全体を強化ガラスや、透明又は半透明の特性を持つエンジニアプラスチックなどで構成すれば、戸体２の全部を透明又は半透明とすることができる。戸体２にこのような透明又は半透明の強化ガラスなどで閉塞させた窓などを形成させておけば、戸体２の一部が透明又は半透明となる。
【００２４】
図６は、戸体２を、上昇終了位置において棚本体１の前面開放部１０の上側を閉塞する上側戸体２’と、上昇終了位置において棚本体１の前面開放部１０の下側を閉塞する下側戸体２”とより構成させた例を示している。このようにした場合、棚本体１の上側と下側をそれぞれ個別に開放させることができる。
【００２５】
この実施の形態にあっては、さらに、上昇終了位置にある上側戸体２’の下端部２３ａの内方に上昇終了位置にある下側戸体２”の上端部２２ａが位置されるようになっている。
【００２６】
図示の例では、レール部１５が上側戸体２’の支持部１５ｃを前側に位置させ、下側戸体２”の支持部１５ｄをその後側に位置させており、棚本体１の前面開放部の上側のみを開放するときは、下側戸体２”の前面側に下降終了位置にある上側戸体２’が位置され両者が前後に略重なり合うようになっている。
【００２７】
このようにした場合、それぞれ上昇終了位置にある上側戸体２’と下側戸体２”とによって前面開放部を隙間なく閉塞させることができると共に、前記収納物の崩れなどが生じた場合に、上側戸体２’の下端部２３ａ下に収納物が入り込んで上側戸体２’の下降操作を妨げるような事態を生じさせないようにすることができる。
【図面の簡単な説明】
【００２８】
【図１】吊り戸棚Ｓの使用状態を示した構成図
【図２】吊り戸棚Ｓの正面構成図
【図３】吊り戸棚Ｓの正面構成図
【図４】吊り戸棚Ｓの要部縦断面構成図
【図５】吊り戸棚Ｓの要部縦断面構成図
【図６】吊り戸棚Ｓの縦断面構成図
【符号の説明】
【００２９】
Ｓ  吊り戸棚
１  棚本体
１０  前面開放部
２  戸体
【図１】
0005225644.tif 000002
【図２】
0005225644.tif 000003
【図３】
0005225644.tif 000004
【図４】
0005225644.tif 000005
【図５】
0005225644.tif 000006
【図６】
0005225644.tif 000007